(57)【要約】 【課題】  上部構造に対する下部構造の着脱を簡単にする。多様な上部構造に１種の下部構造を適合させる。【解決手段】  火炎ノズル，着火機構，外部操作子，ケース等を有し、燃料ガス供給管の下端開口および外部操作子の下端が、ケースの内部において前後,左右ｘ,y方向の位置が固定である、上部ユニット２０；および、内ノズル２３を持つ燃料タンク，内ノズルを開操作する内部操作子２６，ケースの下開口を閉じる底板２７，２８、および、ロック部材３１、を含み、ケースに挿入されたとき内ノズルおよび内部操作子がそれぞれ、ケース内の燃料ガス供給管の下端開口および外部操作子の下端の前記位置に位置し、ロック部材のロック操作によりケースに一体に固定され、ロック部材の解除操作によりケースから抜き出すことが出来る、下部ユニット４０；を備える。【選択図】  図３
2006078074.tif 000002
【特許請求の範囲】
【請求項１】
火炎ノズル，該火炎ノズルが放出する燃料ガスに着火する着火機構，前記火炎ノズルに一端が連通する燃料ガス供給管およびユーザが燃料ガス放出操作をする外部操作子を含む上部機構、ならびに、該上部機構を装着したケース、を有し、前記燃料ガス供給管の他端の開口および外部操作子の下端が、前記ケースの内部において前後,左右方向の位置が固定である、上部ユニット；および、
燃料放出弁および該燃料放出弁の開により燃料ガスが供給される内ノズルを有する燃料タンク，該燃料タンクに装着された、前記燃料放出弁を開操作する内部操作子，前記燃料タンクに装着された、前記ケースの下開口を閉じるための底板、および、前記燃料タンクに装着されたロック部材、を含み、前記ケースの下開口に挿入されたとき前記内ノズルおよび内部操作子がそれぞれ、前記ケース内の前記燃料ガス供給管の他端の開口および外部操作子の下端の前記位置に位置し、ロック部材のロック操作により前記ケースに一体に固定され、ロック部材の解除操作により前記ケースから抜き出すことが出来る、下部ユニット；
を備えるカートリッジライター。
【請求項２】
前記燃料ガス供給管の他端の開口部位は、可撓性のチューブであり；前記内ノズルの上端に該開口に進入する先細のテーパ面がある；請求項１に記載のカートリッジライター。
【請求項３】
前記燃料ガス供給管の他端の開口部位は、可撓性のチューブであり；前記内ノズルの上端は該開口の内径より小さい外径であってその下方に前記チューブの下端面が当たるフランジを有する；請求項１又は２に記載のカートリッジライター。
【請求項４】
前記内ノズルは前記燃料タンクの燃料放出弁の可動弁の一部であって、内ノズルが引き上げられることにより弁開となり；前記内部操作子は、一端が前記内ノズルに係合した支点利用のレバーであり、該支点に関して前記一端の反対側の他端が押下されることにより前記内ノズルを引上げ；前記外部操作子の下端が下降して前記内部操作子の前記他端を押下する；請求項１乃至３のいずれか１つに記載のカートリッジライター。
【請求項５】
前記ロック部材は前記底板に縦軸を中心に回転可能に装着され、前記上部ユニットの内壁面に刻まれた係合溝に嵌まり込む爪部を有するカム板体であって、正，逆回転により前記爪部が前記係合溝に対して嵌合，脱出する；請求項１乃至４のいずれか１つに記載のカートリッジライター。
【請求項６】
前記爪部には、前記係合溝に嵌まり込む上下方向に突出した突起がある；請求項５に記載のカートリッジライター。
【請求項７】
前記ロック部材は弾力性部材を介して前記底板に結合した；請求項５又は６に記載のカートリッジライター。
【請求項８】
前記燃料タンクは、該燃料タンクを上下方向に貫通し上下端がタンク外部に開いた管を持つ；請求項１乃至７のいずれか１つに記載のカートリッジライター。
【発明の詳細な説明】
【技術分野】
【０００１】
本発明はガスライターに関し、特に、火炎ノズルおよび着火機構を含む上部構造に燃料タンクを含む下部構造を着脱可にしたカートリッジライターに関する。
【背景技術】
【０００２】
【特許文献１】特開２００１−  １２７３７号公報，
【特許文献２】特開２００３−２４０２３８号公報。
【０００３】
特許文献１は、中枠に開閉蓋および火炎ノズルを含む上部構造体を装備し、該上部構造体に燃料タンクを係脱自在に結合し、結合体を外ケースに挿入した燃料タンク交換式ガスライターが記載されている。このライターでは、ライターから外ケースを取り外して分離して上部構造体に結合した燃料タンクを露出させなければ、燃料タンクを上部構造体から取り外すことは出来ない。引用文献２は、完成品ライターをすっぽりと開閉蓋つきハウジングに収納し、開閉蓋を開くことによりライターの着火操作が出来る、ガスライターケースとガスライターの組体が記載されている。ハウジングの開閉蓋を開いてライター抜き出して交換できるが、ライターにおいて燃料タンクを上記着火機構に対して脱着することは出来ない。
【発明の開示】
【発明が解決しようとする課題】
【０００４】
ガスライタにおいては、火炎ノズルおよび着火機構を含む上部構造は多様である。しかし燃料タンクを含む下部構造は外ケースの中に挿入される場合が多く、機構の多様性はない。そこで、商品のタイプを多様にするために多様な上部構造を取り揃えるが、下部構造は一種として多くの商品タイプに共用使用すると、多様な商品を容易に製造できるし、また、組み立てたライターに不具合があったり、機構の調整が必要なときには、上部構造と下部構造を分離して不具合がある方を取り替えるとか、別個に調整するなどにより、簡単に対処でき、ライターの組み立て，調整の作業の能率が上がる。
【０００５】
本発明は上部構造に対する下部構造の着脱が簡単なカートリッジライターを提供することを第１の目的とし、多様な上部構造のそれぞれに１種の下部構造が適応できるカートリッジライターを提供することを第２の目的とする。
【課題を解決するための手段】
【０００６】
（１）火炎ノズル(6)，該火炎ノズルが放出する燃料ガスに着火する着火機構(8)，前記火炎ノズルに一端が連通する燃料ガス供給管(5,4)およびユーザが燃料ガス放出操作をする外部操作子(15)を含む上部機構(20)、ならびに、該上部機構を装着したケース(1)、を有し、前記燃料ガス供給管(5,4)の他端の開口(4)および外部操作子(15)の下端が、前記ケース(1)の内部において前後,左右（ｘ,y）方向の位置が固定である、上部ユニット(20)；および、
燃料放出弁および該燃料放出弁の開により燃料ガスが供給される内ノズル(23)を有する燃料タンク(21)，該燃料タンク(21)に装着された、前記燃料放出弁を開操作する内部操作子(26)，前記燃料タンク(21)に装着された、前記ケース(1)の下開口(18)を閉じるための底板(27,28)、および、前記燃料タンク(21)に装着されたロック部材(31)、を含み、前記ケース(1)の下開口(18)に挿入されたとき前記内ノズル(23)および内部操作子(26)がそれぞれ、前記ケース(1)内の前記燃料ガス供給管(5,4)の他端の開口(4)および外部操作子(15)の下端の前記位置に位置し、ロック部材のロック操作により前記ケース(1)に一体に固定され、ロック部材の解除操作により前記ケースから抜き出すことが出来る、下部ユニット(40)；
を備えるカートリッジライター。
【０００７】
なお、理解を容易にするためにカッコ内には、図面に示す対応又は相当要素又は部位の符号を、例示として参考までに付記した。以下も同様である。
【発明の効果】
【０００８】
これによれば、ロック部材３１を解除操作することによって、下部ユニット(40)を上部ユニット(20)のケース(1)の下開口(18)から抜き出すことが出来る。下部ユニット(40)を上部ユニット(20)のケース(1)の下開口(18)に挿入すると自動的に下部ユニット(40)の内ノズル(23)および内部操作子(26)がそれぞれ上部ユニット(20)の燃料ガス供給管(5,4)の他端の開口(4)および外部操作子(15)の下端の前記位置に位置し、ロック部材をロック操作することにより、下部ユニット(40)が上部ユニット(20)に一体化する。したがって、上部構造に対する下部構造の着脱が簡単になる。
【０００９】
火炎ノズルおよび着火機構を含む上部構造が各種の上部ユニットを取り揃える場合、どのタイプの上部ユニットも、燃料ガス供給管(5,4)の他端の開口(4)および外部操作子(15)の下端の、ケース内における前記位置を同一に固定することにより、同一種の下部ユニット(40)が適合する。すなわち、多様な上部構造のそれぞれに１種の下部構造が適応できる。
【発明を実施するための最良の形態】
【００１０】
（２）前記燃料ガス供給管(5,4)の他端の開口(4)部位は、可撓性のチューブであり；前記内ノズル(23)の上端に該開口(4)に進入する先細のテーパ面がある；上記（１）に記載のカートリッジライター。これによれば、上部ユニット(20)に下部ユニット(40)を装着するとき、内ノズル(23)の上端が滑らかに可撓性のチューブに入り、内ノズル(23)に少々の位置，寸法の誤差があっても、該可撓性のチューブがそれを吸収するので、燃料ガス供給管(5,4)に対する内ノズル(23)の連結が簡単かつ正確である。
【００１１】
（３）前記燃料ガス供給管(5,4)の他端の開口部位は、可撓性のチューブ(4)であり；前記内ノズル(23)の上端は該開口(4)の内径より小さい外径であってその下方に前記チューブの下端面が当たるフランジを有する；上記（１）又は（２）に記載のカートリッジライター。これによれば、上部ユニット(20)に下部ユニット(40)を装着するとき、内ノズル(23)の上端が滑らかに可撓性のチューブに入り、フランジがチューブの下端面に圧着する。内ノズル(23)に少々の位置，寸法の誤差があっても、該可撓性のチューブがそれを吸収するので、燃料ガス供給管(5,4)に対する内ノズル(23)の連結が簡単かつ正確である。
【００１２】
（４）前記内ノズル(23)は前記燃料タンク(21)の燃料放出弁の可動弁の一部であって、内ノズル(23)が引き上げられることにより弁開となり；前記内部操作子(26)は、一端が前記内ノズル(23)が係合した支点利用のレバーであり、該支点に関して前記一端の反対側の他端が押下されることにより前記内ノズル(23)を引上げ；前記外部操作子(15)の下端が下降して前記内部操作子(26)の前記他端を押下する；上記（１）乃至（３）のいずれか１つに記載のカートリッジライター。これによれば外部操作子(15)は内部操作子(26)に対して上下動作すればよく、支点利用のレバーすなわち内部操作子(26)を外部操作子(15)に連結する部材を要しない。下部ユニット(40)の燃料タンク(21)を上部ユニット(20)のケース(1)に挿入すると自動的に、支点利用のレバーの前記他端が外部操作子(15)の下端の位置に定まるので、外部操作子(15)に対する内部操作子(26)の配置が簡単かつ正確である。
【００１３】
（５）前記ロック部材(31)は前記底板(27,28)に縦軸を中心に回転可能に装着され、前記上部ユニット(20)の内壁面に刻まれた係合溝(16a,16b)に嵌まり込む爪部(31b,31c)を有するカム板体であって、正，逆回転により前記爪部(31b,31c)が前記係合溝(16a,16b)に対して嵌合，脱出する；上記（１）乃至（４）のいずれか１つに記載のカートリッジライター。これによればロック部材(31)の正，逆回転駆動によって、上部ユニット(20)に対して下部ユニット(40)のロック（拘止），アンロック（拘止解除）が出来、上部ユニット(20)に対する下部ユニット(40)の脱着が容易である。
【００１４】
（６）前記爪部(31b,31c)には、前記係合溝(16a,16b)に嵌まり込む上下方向に突出した突起(31b,31c)がある；上記（５）に記載のカートリッジライター。これによれば、係合溝(16a,16b)の溝壁に対する爪部(31b,31c)の接触が突起(31b,31c)による点接触になるので、ロック（拘止），アンロック（拘止解除）のためのロック部材(31)の正，逆回転駆動が滑らかになる。
【００１５】
（７）前記ロック部材(31)は弾力性部材(30)を介して前記底板(27,28)に結合した；上記（５）又は（６）に記載のカートリッジライター。これによれば、底板(27,28)をケース下端に当てても、弾力性部材(30)を圧縮する形で、係合溝(16a,16b)に対するロック部材(31)の上下方向の位置を合わせることができる。ロックした後は弾力性部材(30)により底板(27,28)に弾発力が加わる。これによって、ケース(1)に対して底板(27,28)ががたつかない。
【００１６】
（８）前記燃料タンク(21)は、該燃料タンクを上下方向に貫通し上下端がタンク外部に開いた管(43)を持つ；上記（１）乃至（７）のいずれか１つに記載のカートリッジライター。これによれば、フリント着火機構を、フリント(42)が縦姿勢になるものとして、フリントシリンダ(8)を、上記管(43)を通してライター下部の底板(28)の開口部位まで伸ばすことが出来る。
【００１７】
本発明の他の目的および特徴は、図面を参照した以下の実施例の説明より明らかになろう。
【実施例１】
【００１８】
図１に第１実施例のカートリッジライターを示す。まず上部ユニット２０の構成を説明する。ライターケース１は、上端が閉じ、下端が開いた略長方形である。ケース１の内部には吊り脚２があり、吊り脚２の上端はケース１の上壁に固定されている。吊り脚２の下端はＬ方に曲がっており、曲がって水平（左右方向ｙに平行）になった部位を、上下方向に延びる中継管３が貫通し、該水平部位に固着されている。中継管３の下端には、中継管３の下端を可撓性チューブ４の上端に圧入する形で、可撓性チューブ４の上端が装着されている。中継管３の上端には、中継管３の上端をつなぎチューブ５の後端に圧入する形で、つなぎチューブ５の後端が装着されている。つなぎチューブ５の先端は、ケース１の上壁を貫通し該上壁に固定された火炎ノズル６の下端に、つなぎチューブ５の先端に火炎ノズル６の下端を圧入する形で、装着されている。火炎ノズル６の上端面に開いたガス放出口（図示せず）は、キャップ１０で覆われている。
【００１９】
ケース１の上壁とフリントシリンダ８（アーム１１の背部にある）で支持した図示しない垂直ピン（ｚ方向に平行）で、ヤスリ回動輪７が該ピンを中心に回動可能に支持されている。ヤスリ回動輪７には発火ヤスリ輪が一体連続であり、フリントシリンダ８の、回動輪７の回動軸となる上記垂直ピンを支持する左端部，ヤスリ回動輪７と一体連続の発火ヤスリ輪、および、フリントシリンダ８で支持され発火ヤスリ輪に押し付けられたフリント（発火材）は、下開口を有するキャップ１０で覆われている。
【００２０】
キャップ１０はアーム１１の左端に固着されている。アーム１１の右端部はピン１３を中心に起立回動可能に、アーム支幹１２で支持されている。アーム支幹１２は中空であり、そこに、ケース上壁を貫通し該上壁に装着されたトグルシリンダ１４の内部の、トグルリンクが伸びており、このトグルリンクの先端に、アーム１１の右端部にあるトグルカムが係合している。トグルリンクは、シリンダ１４内部の圧縮コイルスプリングの作用を受けてアーム１１のトグルカムのカム面に押し上げ力を与えており、これがカムを、ピン１３を中心とする半時計方向に回転させようとして、キャップ１０を、図１に示す閉じ位置に強制している。
【００２１】
ユーザがキャップ１０を持ち上げて、アーム１１を起こすと、アーム１１がケース上端面に対して４５度程度の傾斜になるとトグルカム面がトグルリンクの死点を超え、これにより、アーム１１には時計方向の回転力がトグルリンクから加わり、アームが６０度程度の傾斜（キャップ解放状態）まで起立する。このアーム１１をユーザが４５度程度の傾斜まで倒すと、トグルカム面がトグルリンクの死点を超え、これにより、アーム１１には反時計方向の回転力がトグルリンクから加わり、アーム１１が水平姿勢（キャップ閉じ状態：図１）に戻る。上述のキャップアーム１１の起立，倒伏をもたらすリンクアームの傾動に連動して、昇降ロッド１５が下降，上昇の昇降運動をする。
【００２２】
次に下部ユニット４０の構成を説明する。燃料タンク２１の上面には、ｙ方向で見ると縦コ型のピンフレーム２２が固着されており、このピンフレーム２２とタンク上壁を内ノズル２３が貫通している。内ノズル２３の上端は先細のテーパ面となっておりチューブ４の下端開口内に侵入している。テーパ面の下方にフランジがあり（詳細は図３）、このフランジがチューブ４の下端に接触している。ピンフレーム２２の対向２壁に架け渡されたピン２４，２５の一方２４に、それを中心に回動自在にガス放出レバー２６が装着されており、該レバー２６の左端は内ノズル２３のフランジの下側に位置し、右端は昇降ロッド１５の下端直下に位置する。
【００２３】
これにより、キャップ１０が開かれる（アーム１１が起立する）ときの昇降ロッド１５の降下によってレバー２６が時計方向に回されて内ノズル２３を押し上げる。内ノズル２３は燃料タンク２１に装備したガス放出用の開閉弁の一部であり、内ノズル２３が引き上げられと弁開となって、燃料タンク２１の燃料ガスが内ノズル２３を通ってタンクの外部に出る。この燃料ガスがチューブ４および５を通って火炎ノズル６から、上方に吹き出る。ユーザがヤスリ回動輪７を廻してフリント火花を発生すると、火炎ノズル６から出る燃料ガスが、炎となる。
【００２４】
燃料タンク２１の下底には雌ねじスリーブ３７，３８がロー付けにより固着されており、これらのスリーブ３７，３８に、ロックケース２７および底板２８が固着されている。ロックケース２７にはロックプレート３１が垂直軸（ｚ方向に平行）を中心に回転可能に装着されている。このロックプレート３１は、ロック状態では図２の（ａ）に点線で示す姿勢であって、ロックプレート３１の爪部（３１ｂ，３１ｃ：図５）が、ケース１の内面の係合溝（１６ａ，１６ｂ：図２，図３）に嵌まり込んでいるので、燃料タンク２１は、ケース１に対して縦方向ｚに相対的に移動できない。なお、図２に示される３９ａはタンク内に燃料ガス液を注入するための注入弁、３９ｂは炎長を定めるガス放出流量を調整する調整リングである。
【００２５】
次に、上部ユニット２０から下部ユニット４０を分離する操作を説明する。まず図２の（ａ）を参照する。ロックプレート３１に係合し、底板２８の下面に一部が露出するロックキャップ２９を反時計方向に、ロックプレート３１が燃料流量調整筒に当たって廻すことが出来なくなるまで廻すと、図２の（ｂ）に示すように、点線で示すロックプレート３１はケース内面の係合溝１６ａ，１６ｂからでており、ケース１に対して縦方向ｚに移動可となる。このアンロック（拘止解除）状態では、ロックキャップ２９の下面の有底丸穴２９ａ，２９ｂが底板２８のアンロック位置指標である有底丸穴２８ｂと一直線に並ぶ（図２の（ｂ））。
【００２６】
このアンロック状態で、両手の一方の指の爪を、ケース１の爪穴１７ａ，１７ｂに入れてケース１を支え、他方の手で底板２８を掴んで引くことにより、下部ユニット４０が上部ユニット２０から外れて、図３に示すように、上部ユニット２０と下部ユニット４０が完全に分離する。
【００２７】
両ユニット２０，４０を一体に組み付けるときには、下部ユニット４０（の燃料タンク２１）を上部ユニット２０（のケース１）に挿入して、ロックキャップ２９を時計方向に、ロックプレート３１が燃料流量調整筒に当たって廻すことが出来なくなるまで廻す。廻すことが出来なくなるまで廻すと、図２の（ａ）に示すように、点線で示すロックプレート３１はケース内面の係合溝１６ａ，１６ｂに嵌まり込んでおり、ケース１に対して縦方向ｚの移動は不可になる。このロック（拘止）状態では、ロックキャップ２９の下面の有底丸穴２９ａ，２９ｂが底板２８のロック位置指標である有底丸穴２８ａと一直線に並ぶ（図２の（ａ））。
【００２８】
図４に、ロックケース２７と底板２８との組み合わせである底組体、を分解して示す。ロックプレート３１は図５に示すように、軸穴３１ａを長円形として、爪部には、ｚ方向（図５（ｂ）の紙面に垂直な方向）に突出する突起３１ｂ，３１ｃを形成し、廻り止め用の突き出し３１ｄを一体連続に形成したものである。図４に示すロックキャップ２９は、外形がプレート３１の長円形軸穴３１ａとピッタリ係合する平削り外周面であって、その内部に丸穴があり該丸穴の底に雌ねじ穴がある鍔付きキャップであり、その下端面には、廻し具の１対のピンを差し込む有底丸穴２９ａ，２９ｂ（図２）が刻まれている。３１はリング状のゴム板、３２は座金、３３は鍔付き中空軸、３４〜３６はビス（雄ねじ）である。
【００２９】
ロックキャップ２９の平削り外周面がある幹部を、ゴム板３０，ロックプレート３１および座金３２の各中央の穴に通してから、ロックケース２７の通し穴に鍔付き中空軸３３の円筒部を通して該円筒部を、ロックキャップ２９の丸穴に挿入し、そしてビス３４を鍔付き中空軸３３の円筒部に通してロックキャップ２９の丸穴の底の雌ねじ穴にねじ込む。これにより、ロックキャップ２９のフランジと中空軸３３の鍔との間にゴム板３０，ロックプレート３１，座金３２およびロックケース２７をサンドイッチ状に積層した形で、これらとビス３４が一体となり、しかも、鍔付き中空軸３３の円筒部を中心に、ロックキャップ２９を回転させることができる。この回転に関してはロックプレート３１がロックキャップ２９の平削り外周面に係合しているので、ロックプレート３１がロックキャップ２９の回転と同じく回転する。底板２８の中央の開口にロックキャップ２９の下端を受け入れて該底板２８にロックケース２７を嵌め合わせてから、ビス３５，３６を底板２８およびロックケース２７に通して、燃料タンク２１の下底にある雌ねじスリーブ３７，３８（図１，図３）にねじ込むことにより、底板２８にロックケース２７が一体に組み上がり、かつタンク２１と一体に組み上がる。
【００３０】
図６の（ａ）には、図１に示すライターの外観を示し、図６の（ｂ）には、キャップ１０を起こした使用状態の外観を示す。この使用状態では火炎ノズル６から燃料ガスが流出しており、使用者がヤスリ回動輪７を廻すとヤスリ輪４１が回って、フリントシリンダ８の左端からヤスリ輪４１に押し付けられているフリントが火花を発生し、この火花によって、火炎ノズルから流出する燃料ガスが着火して炎になる。
【実施例２】
【００３１】
図７に、第２実施例を示す。この第２実施例では、キャップ１０が、下が開いた略長方形状であり、ケース１の上端面のほぼ全域を覆うが、ヤスリ回動輪７の略半周分の周面が露出する、正面壁の切欠があり、図７に示すキャップ閉状態でもヤスリ回動輪７の略半周分の周面が露出している。ヤスリ回動輪７はケース１で、水平軸（ｙ方向に平行）を中心に回転可能に装着されている。ヤスリ回動輪７に連結されたヤスリ輪４１の周面に、フリントシリンダ８の上端から押し出されるフリント４２が圧接している。フリントシリンダ８は縦方向ｚに延び、その下端面が底板２８の下面に露出している。このシリンダ８が通る管４３が、燃料タンク２１を縦方向に貫通し、その上，下端部がタンク２１の上壁および下壁にロー付けされている。
【００３２】
図８の（ａ）に底板２８の下面を示す。この第２実施例のロックケース２７および底板２８には、フリントシリンダ８が貫通する開口がある。ロックケース２７，底板２８およびロックプレート３１の組み合わせは、第１実施例と同じであり、ロックプレート３１を図８の（ｂ）に示すアンロック位置に廻すことにより、下部ユニット４０を上部ユニット２０から取り外すことができる。その他の構造は、図１に示した第１実施例と同様である。
【００３３】
図９に第２実施例の変形例の１つを示す。この変形例では、火炎ノズル６がケース１の左端側に寄っているが、下部ユニット４０は図７に示す第２実施例のものと構造および寸法が同一のものである。上部ユニット２０のフリントシリンダ８が、タンク２１の管４３の位置に向かうように、その内部をフリントおよび押さえコイルスプリングが容易に通孔できる曲率で曲げられている。その他の構造は図７に示す第２実施例と同一であるので、第２実施例の下部ユニット４０は、フリントシリンダ８が縦に底板２８まで延びる上部ユニットに適合するが、図１に示す第１実施例のように、フリントシリンダ８がケース１の外部にある態様の上部ユニットにも適合する。この場合、下部ユニット４０の底板２８のみ、フリントシリンダ８の下端を露出するための開口がないものに取り替えるのが好ましい。
【００３４】
図１０の（ａ）に、第２実施例の上記変形例の下部ユニット４０を装備したライターの一形態の外観を示し、図１０の（ｂ）には、その使用状態の外観を示す。この上部ユニットは、図９に示す上部ユニット２０と同様な構造である。
【００３５】
図１１の（ａ）には、第２実施例の上記変形例の下部ユニット４０を装備したライターのもう一つの形態の外観を示し、図１１の（ｂ）には、その使用状態の外観を示す。このライターの上部ユニットは、ヤスリ回動輪７の回動中心をケース１の厚み方向（図９上のｘ方向）に平行にし、そして火炎ノズル６をケース１の左右方向の略中央に配置したものである。
【００３６】
図１２の（ａ）には、第２実施例の上記変形例の下部ユニット４０を装備したライターの更にもう一つの形態の外観を示し、図１２の（ｂ）には、その使用状態の外観を示す。このライターの上部ユニットは、左から右に、火炎ノズル，ヤスリ回動輪７およびガス放出ボタン４４をこの順番でケース１に装備したものである。火炎ノズルは風防４５で３方向を囲まれている。親指によってヤスリ回動輪７を廻し操作して、ヤスリ輪４１の回転によって発生する火花を風防内に放出し、廻し操作に続くガス放出ボタン４４の押下によってケース１の内部の昇降ロッド（図９に示す１５相当のロッド）を押し下げると、風防４５で囲まれた火炎ノズルから炎が立つ。
【００３７】
図７に示す下部ユニット２０は、図６，図１０，図１１および図１２に示す上部ユニットと組み合わせて使用することが出来る。すなわち多様な上部構造に適合する。
【図面の簡単な説明】
【００３８】
【図１】本発明の第１実施例の、ケース１を破断して示す正面図である。
【図２】図１に示すライターの底面図であり、（ａ）は底板２８を外ケースに拘止した状態を示し、（ｂ）は拘止を解除した状態を示す。
【図３】図１に示すライターの燃料タンク２１を、図２の（ｂ）に示す拘止解除状態で外ケースから引き出した正面図である。ケース１は破断して示す。
【図４】図１〜３に示す、底板２８とロックケース２７との組合わせ部分の、分解斜視図である。
【図５】図４に示すロックプレートの拡大図であり、（ａ）は側面図、（ｂ）は平面図、（ｃ）は斜視図である。
【図６】（ａ）は図１に示すライターの外観を示す斜視図、（ｂ）は使用状態を示す斜視図である。
【図７】本発明の第２実施例の、ケース１を破断して示す正面図である。
【図８】図７に示すライターの底面図であり、（ａ）は底板２８を外ケースに拘止した状態を示し、（ｂ）は拘止を解除した状態を示す。
【図９】第２実施例の１変形例の、ケース１を破断して示す正面図である。
【図１０】（ａ）は第２実施例の１変形例の下部ユニット４０を装備したライターの一形態の外観を示す斜視図、（ｂ）は使用状態を示す斜視図である。
【図１１】（ａ）は第２実施例の１変形例の下部ユニット４０を装備したライターのもう一つの形態の外観を示す斜視図、（ｂ）は使用状態を示す斜視図である。
【図１２】（ａ）は第２実施例の１変形例の下部ユニット４０を装備したライターの更にもう一つの形態の外観を示す斜視図、（ｂ）は使用状態を示す斜視図である。
【符号の説明】
【００３９】
１：ケース            ２：吊り脚
３：中継管            ４：ノズル受け
５：つなぎチューブ    ６：火炎ノズル
７：ヤスリ回動輪      ８：フリントシリンダ
９：支幹              １０：キャップ
１１：キャップアーム  １２：アーム支幹
１３：ピン            １４：トグルシリンダ
１５：昇降ロッド      １６ａ，１６ｂ：係合溝
１７ａ，１７ｂ：爪穴  １８：下開口
２０：上部ユニット    ２１：燃料タンク
２２：ピンフレーム    ２３：内ノズル
２４，２５：ピン      ２６：ガス放出レバー
２７：ロックケース    ２８：底板
２９：ロックキャップ  ３０：ゴムリング
３１：ロックプレート  ３２：座金
３３：ロック止めねじ  ３４〜３６：皿ビス
３７，３８：雌ねじスリーブ
３９ａ：ガス注入口    ３９ｂ：調整リング
４０：下部ユニット    ４１：ヤスリ輪
４２：フリント        ４３：管
４４：ガス放出ボタン  ４５：風防
【図１】
2006078074.tif 000003
【図２】
2006078074.tif 000004
【図３】
2006078074.tif 000005
【図４】
2006078074.tif 000006
【図５】
2006078074.tif 000007
【図６】
2006078074.tif 000008
【図７】
2006078074.tif 000009
【図８】
2006078074.tif 000010
【図９】
2006078074.tif 000011
【図１０】
2006078074.tif 000012
【図１１】
2006078074.tif 000013
【図１２】
2006078074.tif 000014